(57)【特許請求の範囲】
【請求項１】
第１の開口、及び第２の開口並びに水抜部を備えた屋根の隅棟又は棟に設けられる換気通路部材と、この換気通路部材に設けられる通路形成部材と、この通路形成部材に適宜間隔で設けられる水抜部及び換気口部を備えた棟屋根部材と、で構成される棟換気装置であって、
この棟換気装置の換気通路を、前記屋根の隅棟又は棟に設けた開口部と、この開口部と連通する前記換気通路部材と通路形成部材で形成する下側換気通路部と、この下側換気通路部と連通する前記通路形成部材と前記棟屋根部材で形成する上側換気通路部と、で構成することを特徴とする棟換気装置。
【請求項２】
上記の下上側換気通路部が積重されていることを特徴とする請求項１に記載の棟換気装置。
【請求項３】
上記の換気通路部材又は棟屋根部材に堰部材を設ける構成とした請求項１に記載の棟換気装置。
【請求項４】
上記の換気通路部材がほぼ箱形で継合せ可能に構成されている請求項１に記載の棟換気装置。
【請求項５】
上記の棟換気装置が他の棟とほぼ同じ高さ、幅の形態を保持することを特徴とする請求項１に記載の棟換気装置。
【発明の詳細な説明】
【０００１】
【発明の属する技術分野】
本発明は、野地板（コンパネ等）でなる隅棟又は棟（以下、棟とする。）に最適な棟換気装置に関する。
【０００２】
【従来の技術】
屋根の換気装置に関する従来技術で、本発明と関連性がある発明としては、▲１▼特開平7-48909号の屋根の換気装置、▲２▼特開平8-68172号の棟換気構造等がある。その内容を説明する。先ず▲１▼の発明は雨天時や湿度が高い場合に、換気通路を閉塞して防水性及び防湿性の向上を図ることを目的とする。即ち、屋内の換気を行うための換気通路を備えた屋根の換気装置において、前記換気通路内に吸湿膨張部材を設け、この吸湿膨張部材が吸湿して膨張した状態で、前記換気通路を閉塞する構成である。次に、▲２▼の発明は、棟屋根下地部材の上に棟屋根材本体を配設した棟換気構造の差圧の大きな負圧領域の拡大を図り、換気量を増すことを目的とする。即ち、屋根の棟を跨いで取り付けられた換気口を有する棟屋根下地部材の上に、排気口を多数有する第１、第２の傾斜片、及び第１、第２の脚片とからなる棟屋根材本体を配設してなる棟換気構造である。
【０００３】
【発明が解決しようとする課題】
前記▲１▼、▲２▼の発明は、屋根の長手方向に所定長さの開口部を設ける構成で、この開口部をそのままの状態で帯状の薄肉板金部材でなるベース又は棟屋根下地部材及び平棟用のカバー又は棟屋根材本体を設ける構成となっている。しかし、前記文献の発明では、屋根の開口部より上昇した空気は、一方向の換気通路を経由して排気口より大気中に放散される構成である。従って、強風時の雨、豪雨の場合に雨水が換気通路に逆流する虞れがある。尚、雨水の逆流防止として、吸湿膨張部材又は気流空所の水返し片、雨遮断片を設けて防止するが、逆流防止効果の確保、又は雨水の遮断を経年的に確保するには難点がある。
【０００４】
【課題を解決するための手段】
本発明は、迂回状の換気通路部を積重する構成として、雨水の確実な排除を図ること、構造簡単で確実かつ効率的な棟換気ができること、等を意図して下記の構成を採用する。
【０００５】
請求項１の発明は、第１の開口、及び第２の開口並びに水抜部を備えた屋根の隅棟又は棟に設けられる換気通路部材と、この換気通路部材に設けられる通路形成部材と、この通路形成部材に適宜間隔で設けられる水抜部及び換気口部を備えた棟屋根部材と、で構成される棟換気装置であって、
この棟換気装置の換気通路を、前記屋根の隅棟又は棟に設けた開口部と、この開口部と連通する前記換気通路部材と通路形成部材で形成する下側換気通路部と、この下側換気通路部と連通する前記通路形成部材と前記棟屋根部材で形成する上側換気通路部と、で構成することを特徴とする棟換気装置である。
【０００６】
本発明は、上下側換気通路部を積重する構成として、雨水の確実な排除を図ること、構造簡単で確実かつ耐久性の優れた棟換気装置を提供すること、等を意図して下記の構成を採用する。
【０００７】
請求項２の発明は、下上側換気通路部が積重されていることを特徴とする請求項１に記載の棟換気装置である。
【０００８】
また本発明は、雨水の侵入を確実に防止することを意図する。
【０００９】
請求項３の発明は、換気通路部材又は棟屋根部材に堰部材を設ける構成とした棟換気装置である。
【００１０】
本発明は、換気通路部材の簡易な使用を意図する。
【００１１】
請求項４の発明は、換気通路部材がほぼ箱形で継合せ可能とした構成の棟換気装置である。
【００１２】
本発明は、棟の形態及び外観を美麗に維持しかつ雨水の侵入を確実に防止することを意図する。
【００１３】
請求項５の発明は、棟換気装置が他の棟とほぼ同じ高さ、幅の形態を保持することを特徴とする棟換気装置である。
【００１４】
【発明の実施の形態】
換気について説明すると、ほぼ箱形の換気通路部材は、シーラー、コーキング（防水手段）を介して屋根の開口部の両流れ面に設けられる。この換気通路部材に跨るように通路形成部材を設け、通路形成部材と換気通路部材を釘止めする。通路形成部材は換気通路部材の第１・第２の開口を除いてカバーし、この換気通路部材を樹脂で構成した場合、太陽光線による劣化防止に役立てる。また第１・第２の開口を形成し、かつ換気通路部材に通路形成部材を設けて下側換気通路部を形成する。この換気通路部材及び通路形成部材には、水抜部及び換気口部を備えた棟屋根部材が積層されるとともに、棟屋根部材と通路形成部材との間に上側換気通路部が形成される。この下上側換気通路部が構成されるとともに、下側換気通路部は開口部を介して屋根裏に、また上側換気通路部は換気口部を介して大気中に、それぞれ連通される。従って、換気は、屋根裏→開口部→第１の開口→下側換気通路部→第２の開口→上側換気通路部→換気口部→大気中の経路による。
【００１５】
雨水について説明すると、上側換気通路部の換気口部より流入した雨水は通路形成部材の上面を流下した後、第２の開口より換気通路部材の底面に達する。この底面に達した雨水は、当該底面に設けた水抜部から棟屋根部材の取付片に設けた水抜部から屋根材上に流下する構成である。また下側換気通路部に達した雨水は、この下側換気通路部を構成する換気通路部材に設けた堰部材でシャットし、雨水の屋根裏への侵入防止を図る構成となっている。
【００１６】
またこの棟換気装置は、工場出荷時に完成品で提供される場合も有る。即ち、換気通路部材の上に通路形成部材を設け、換気通路部材の第１・第２の開口を開放した状態で、この通路形成部材の上に適宜間隔を形成するようにして水抜部及び換気口部を備えた合掌形状の棟屋根部材を積層し、この換気通路部材、通路形成部材及び合掌形状の棟屋根部材を一体とする。この操作及び手順により、完成品の棟換気装置が形成されるので、換気通路部材をシーラー等を介して屋根の開口部の両流れ面に設け、かつこの合掌形状の棟屋根部材が開口部に跨るように設ける。合掌形状の棟屋根部材の換気口部より釘止めする。このような使用方法で、前述とほぼ同様な機能及び効果が期待できる。
【００１７】
【実施例】
以下、本発明の一実施例を図面を参照に説明する。
【００１８】
１はほぼ箱形の換気通路部材で、この換気通路部材１は、図２の如く、枠体１ａと、底面１ｂと、この底面１ｂに必要により設けられる堰部材２とで構成されており、屋根ＡにシーラーＡ１を利用して、図１の如く、この屋根Ａの開口部Ａ２の両側に対峙するように取付けられる。尚、堰部材２は、図１〜図３の如く、凸片２１１を波状に設ける構成、図４の如く、積層板２１２を僅かな間隔で積層して設ける構成、図５の如く、積層板２１２を僅かな間隔で積層し、かつこの積層した積層板２１２をブロック状に設ける構成、が理想である。また堰部材２は、必要により後述する通路形成部材等に設ける場合も有る。この堰部材２は、雨水等の侵入防止、下側換気通路部の補強等に役立つ。尚、換気通路部材１には、十分な換気口面積（換気面積）を確保し、空気流通空間の拡充を図り、かつ雨水の侵入防止を図り得る構成が理想である。図中１ｃは、換気通路部材１の底面１ｂに設けた水抜部である。またこの換気通路部材１を樹脂で構成することが理想であるが限定されない。
【００１９】
３は段付部を備えた棟形をする通路形成部材で、この通路形成部材３は屋根Ａの棟Ａ３の換気通路部材１に跨設して設けられるとともに、この換気通路部材１の第１・第２の開口１１１、１１２を閉塞することなく設けられる。屋根Ａへの取付は釘Ｂを使用する。この通路形成部材３を、換気通路部材１に設けることにより、下側換気通路部Ｘが形成されるとともに、下側換気通路部Ｘは、第１・第２の開口１１１、１１２に連通する。勿論、この第１・第２の開口１１１、１１２等を設ける位置、個数等は限定されない。
【００２０】
４は通路形成部材３に適宜間隔Ｓをもって積層される棟屋根部材で、換気用の換気口部４１１と取付片４１２を有する。この棟屋根部材４の通路形成部材３への取付けは、当該棟屋根部材４の取付片４１２を、換気通路部材１に釘Ｂ１止めする。尚、この棟屋根部材４を、通路形成部材３に設けることにより、両者の間に上側換気通路部Ｙが形成される。この上側換気通路部Ｙは、第２の開口１１２に連通する。また前記取付片４１２には水抜部４ｃが形成されている。
【００２１】
尚、寸法関係を概略すると、全体の厚みを図１に例示する。また下側換気通路部Ｘの立上り寸法（矢示の方向）、第１・第２の開口１１１、１１２の開口寸法（矢示の方向）、上側換気通路部Ｙの間隔Ｓ（矢示の方向）、換気口部４１１の開口寸法（矢示の方向）、がほぼ等しいことが理想である。
【００２２】
【発明の効果】
請求項１の発明は、第１の開口、及び第２の開口、水抜部を備えた換気通路部材と、この換気通路部材に設けた通路形成部材と、この通路形成部材に適宜間隔で設けた水抜部及び換気口部を備えた棟屋根部材と、で構成する棟換気装置であって、この棟換気装置の換気通路を、屋根の開口部に連通する下側換気通路部を換気通路部材と通路形成部材で形成し、この下側換気通路部と連通する上側換気通路部を通路形成部材と棟屋根部材で形成する棟換気装置である。従って、迂回状の換気通路部を利用して、十分な換気口面積を確保しつつ雨水の確実な排除を図り得ること、構造簡単で確実かつ効率的な棟換気ができること、等の効果がある。
【００２３】
請求項２の発明は、下上側換気通路部を積重する構成である。従って、この下上側換気通路部の積重を利用して、雨水の確実な排除を図ること、構造簡単で確実かつ耐久性の優れた棟換気装置を提供できること、等の効果がある。
【００２４】
また請求項３の発明は、換気通路部材又は棟屋根部材に堰部材を設ける構成である。従って、雨水の侵入を確実に防止できる実用的な効果がある。
【００２５】
請求項４の発明は、換気通路部材がほぼ箱形で継合せ可能とした構成の棟換気装置である。従って、換気通路部材の簡易な使用が図れる効果がある。
【００２６】
請求項５の発明は、棟換気装置が他の棟とほぼ同じ高さ、幅の形態を保持することを特徴とする棟換気装置である。従って、規格寸法の部品、例えば、棟屋根部材の有効利用が図れること、又は棟の形態及び外観を美麗に維持しかつ雨水の侵入を確実に防止できること、等の実用的な効果がある。
【図面の簡単な説明】
【図１】本発明の断面図である。
【図２】本発明の分解斜視図である。
【図３】本発明の換気通路部材の斜視図である。
【図４】本発明の他の換気通路部材の断面図である。
【図５】本発明の更に他の換気通路部材の断面図である。
【符号の説明】
１        換気通路部材
１１１    第１の開口
１１２    第２の開口
１ａ      枠体
１ｂ      底面
１ｃ      水抜部
２        堰部材
２１１    凸片
２１２    積層板
３        通路形成部材
４        棟屋根部材
４ｃ      水抜部
４１１    換気口部
４１２    取付片
Ａ        屋根
Ａ１      シーラー
Ａ２      開口部
Ａ３      棟
Ｂ        釘
Ｂ１      釘
Ｓ        間隔
Ｘ        下側換気通路部
Ｙ        上側換気通路部
【図１】
0003736709.tif 000002
【図２】
0003736709.tif 000003
【図３】
0003736709.tif 000004
【図４】
0003736709.tif 000005
【図５】
0003736709.tif 000006